(57)【要約】【課題】  紙容器の輪郭線に沿って切断して取り除いた輪郭線で囲まれた切除部分を有効利用できる窓付き紙容器を得る。【解決手段】  板紙を基材とする包材２によって角筒状の胴部５とその上下を閉塞する底部６及び頂部７とを形成し、そのいずれかの部分の板紙基材に予定窓１２の輪郭線１３を切り込み１４により形成し、包材２の裏面には予定窓１２を塞ぐフィルム１８を輪郭線１３の外側に接着又は融着して設け、包材２を板紙基材に形成した輪郭線１３に沿って切断して輪郭線１３で囲まれた切除部分１６を取り除くことにより、フィルム１８により塞がれた窓２１を形成する構造になっている窓付き紙容器であって、板紙基材に形成されている予定窓１２の輪郭線１３を所要の形状の輪郭に沿って形成し、輪郭線１３内にはこの部分から切除した切除部分１６を立体的に成形し得る折れ線１７を設けた。【選択図】    図１
2009234657.tif 000002
【特許請求の範囲】
【請求項１】
板紙を基材とする包材によって角筒状の胴部とその上下を閉塞する底部及び頂部とが形成され、そのいずれかの部分の前記板紙基材に予定窓の輪郭線が切り込みにより形成され、前記包材の裏面には前記予定窓を塞ぐフィルムが前記輪郭線の外側に接着又は融着して設けられ、前記包材を前記板紙基材に形成された前記輪郭線に沿って切断して前記輪郭線で囲まれた切除部分を取り除くことにより、前記フィルムにより塞がれた窓が形成される構造になっている窓付き紙容器であって、
前記板紙基材に形成されている前記予定窓の前記輪郭線は所要の形状の輪郭に沿って形成され、前記輪郭線内にはこの部分から切除した前記切除部分を立体的に成形し得る折れ線が設けられていることを特徴とする窓付き紙容器。
【請求項２】
前記輪郭線で囲まれた切除部分を取り除く糸口となる前記輪郭線またはその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部の左右又はその近傍からそれぞれ延びて、隣接している前記罫線のそれぞれ対応する両端又はその近傍に繋がる２本の補助折線が設けられていることを特徴とする請求項１に記載の窓付き紙容器。
【請求項３】
前記輪郭線で囲まれた切除部分を取り除く糸口となる前記輪郭線またはその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部を横切り或いは前記切断糸口端部の先端と一致し且つ隣接する前記頂部横罫線、前記胴部縦罫線、前記底部横罫線のいずれかの罫線の両端又はその近傍に繋がる補助折線が設けられていることを特徴とする請求項１に記載の窓付き紙容器。
【発明の詳細な説明】
【技術分野】
【０００１】
本発明は、板紙を基材とする包材によって形成された紙容器において、フィルムで塞がれた窓を設けた窓付き紙容器に関するものである。
【背景技術】
【０００２】
従来、フィルムで塞がれた窓を設けた窓付き紙容器として、板紙を基材とする包材によって角筒状の胴部とその上下を閉塞する底部及び頂部とが形成され、胴部、頂部のいずれかの部分の板紙基材に予定窓の輪郭線がミシン目によって形成され、包材の裏面には予定窓を塞ぐ透明又は半透明のフィルムが輪郭線の外側に接着又は融着して設けられ、包材を板紙基材に形成された輪郭線に沿って切断して輪郭線で囲まれた切除部分を取り除くことにより、透明又は半透明のフィルムを通して内部を目視可能な窓が形成される構造のものが知られている（例えば、特許文献１参照。）。
【特許文献１】特開平７−３１５３６７号公報
【発明の開示】
【発明が解決しようとする課題】
【０００３】
しかしながら、従来の構造の窓付き紙容器では、輪郭線に沿って切断して取り除いた輪郭線で囲まれた切除部分は一般にはごみとして捨てられていた。
【０００４】
本発明の目的は、紙容器の前記輪郭線に沿って切断して取り除いた輪郭線で囲まれた切除部分を有効利用できる窓付き紙容器を提供することにある。
【課題を解決するための手段】
【０００５】
上記の目的を達成するために請求項１に記載の発明は、板紙を基材とする包材によって角筒状の胴部とその上下を閉塞する底部及び頂部とが形成され、そのいずれかの部分の前記板紙基材に予定窓の輪郭線が切り込みにより形成され、前記包材の裏面には前記予定窓を塞ぐフィルムが前記輪郭線の外側に接着又は融着して設けられ、前記包材を前記板紙基材に形成された前記輪郭線に沿って切断して前記輪郭線で囲まれた切除部分を取り除くことにより、前記フィルムにより塞がれた窓が形成される構造になっている窓付き紙容器であって、前記板紙基材に形成されている前記予定窓の前記輪郭線は所要の形状の輪郭に沿って形成され、前記輪郭線内にはこの部分から切除した前記切除部分を立体的に成形し得る折れ線が設けられていることを特徴とする。
【０００６】
請求項２に記載の発明は、請求項１に記載の、前記輪郭線で囲まれた切除部分を取り除く糸口となる前記輪郭線またはその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部の左右又はその近傍からそれぞれ延びて、隣接している前記罫線のそれぞれ対応する両端又はその近傍に繋がる２本の補助折線が設けられていることを特徴とする。
【０００７】
請求項３に記載の発明は、請求項１に記載の、前記輪郭線で囲まれた切除部分を取り除く糸口となる前記輪郭線またはその延長部分によって形成される切断糸口端部は、前記胴部と前記頂部との境界の頂部横罫線、角筒状の前記胴部の胴部縦罫線、又は前記胴部と前記底部との境界の底部横罫線の少なくともいずれかに隣接して形成され、前記切断糸口端部が存在している前記胴部、前記頂部又は前記底部のいずれかの面には、前記切断糸口端部を横切り或いは前記切断糸口端部の先端と一致し且つ隣接する前記頂部横罫線、前記胴部縦罫線、前記底部横罫線のいずれかの罫線の両端又はその近傍に繋がる補助折線が設けられていることを特徴とする。
【発明の効果】
【０００８】
請求項１に記載の窓付き紙容器によれば、板紙基材に形成されている予定窓の輪郭線が所定の目的を持った所要の形状の輪郭に沿って形成され、輪郭線内にはこの部分から切除した切除部分を立体的に成形し得る折れ線が設けられているので、この紙容器の輪郭線に沿って切断して取り除いた輪郭線で囲まれた切除部分をその折れ線に沿って折ると立体的に成形されて所要の立体形状になり、所定の目的に供するといった有効利用ができ、切除部分をごみとして廃棄しないので省資源化を図ることができる。
【０００９】
請求項２に記載の窓付き紙容器によれば、請求項１に記載の、輪郭線で囲まれた切除部分を取り除く糸口となる輪郭線またはその延長部分によって形成される切断糸口端部は、胴部と頂部との境界の頂部横罫線、角筒状の胴部の胴部縦罫線、又は胴部と底部との境界の底部横罫線の少なくともいずれかに隣接して形成され、切断糸口端部が存在している胴部、頂部又は底部のいずれかの面には、切断糸口端部の左右又はその近傍からそれぞれ延びて、隣接している罫線のそれぞれ対応する両端又はその近傍に繋がる２本の補助折線が設けられているので、輪郭線で囲まれた切除部分の切除に際し、切断糸口端部に隣接し、その両端又は近傍に補助折線が繋がる罫線を押し込むことにより、山折り状態にあった罫線が谷折り状態となって凹み、切断糸口端部が存在する胴部、頂部又は底部のいずれかの面が補助折線で山折り状態となって突出して切断糸口端部の先端が浮き上がることから、この浮き上がったところを糸口として切断糸口端部を包材の表面から容易に立ち上げることができ、この立ち上げた切断糸口端部を摘み引っ張ることにより包材が板紙基材に形成された輪郭線に沿って切断され輪郭線で囲まれた切除部分を容易に切除することができる。
【００１０】
また、切断糸口端部に隣接する罫線を押し込んで、罫線を凹ませることにより切断糸口端部の先端を浮き上がらせ、この浮き上がったところを糸口として切断糸口端部を包材の表面から容易に立ち上げることができるので、切断糸口端部を包材の表面から立ち上げ易くするために、たとえば、切断糸口端部を形成する輪郭線又はその延長部分の切り込みを、未切断部分の少ないミシン目によって形成する等して切断し易くする必要はない。しかも、切断糸口端部に隣接する罫線を押し込んで凹ませるまでは、切断糸口端部を形成する輪郭線又はその延長部分の切り込みが切断されて切断糸口端部の先端が包材の表面から浮き上がることがないので、輸送時に他の容器と衝突する等して衝撃を受けたとき、切断糸口端部等から輪郭線で囲まれた切除部分が捲れてしまうといったおそれを防ぐこともできる。
【００１１】
請求項３に記載の窓付き紙容器によれば、請求項１に記載の、輪郭線で囲まれた切除部分を取り除く糸口となる前記輪郭線またはその延長部分によって形成される切断糸口端部は、胴部と頂部との境界の頂部横罫線、角筒状の胴部の胴部縦罫線、又は胴部と底部との境界の底部横罫線の少なくともいずれかに隣接して形成され、切断糸口端部が存在している胴部、頂部又は底部のいずれかの面には、切断糸口端部を横切り或いは切断糸口端部の先端と一致し且つ隣接する頂部横罫線、胴部縦罫線、底部横罫線のいずれかの罫線の両端又はその近傍に繋がる補助折線が設けられているので、輪郭線で囲まれた切除部分の切除に際し、切断糸口端部に隣接し、その両端又は近傍に補助折線が繋がる罫線を押し込むことにより、山折り状態にあった罫線が谷折り状態となって凹み、切断糸口端部が存在する胴部、頂部又は底部のいずれかの面が補助折線で山折り状態となって突出して切断糸口端部の先端が浮き上がることから、この浮き上がったところを糸口として切断糸口端部を包材の表面から容易に立ち上げることができ、この立ち上げた切断糸口端部を摘み引っ張ることにより包材が板紙基材に形成された輪郭線に沿って切断され輪郭線で囲まれた切除部分を容易に切除することができる。
【００１２】
また、切断糸口端部に隣接する罫線を押し込んで、罫線を凹ませることにより切断糸口端部の先端を浮き上がらせ、この浮き上がったところを糸口として切断糸口端部を包材の表面から容易に立ち上げることができるので、切断糸口端部を包材の表面から立ち上げ易くするために、たとえば、切断糸口端部を形成する輪郭線又はその延長部分の切り込みを、未切断部分の少ないミシン目によって形成する等して切断し易くする必要はない。しかも、切断糸口端部に隣接する罫線を押し込んで凹ませるまでは、切断糸口端部を形成する輪郭線又はその延長部分の切り込みが切断されて切断糸口端部の先端が包材の表面から浮き上がることもないので、輸送時に他の容器と衝突する等して衝撃を受けたとき、切断糸口端部等から輪郭線で囲まれた切除部分が捲れてしまうといったおそれを防ぐこともできる。
【発明を実施するための最良の形態】
【００１３】
以下、本発明に係る窓付き紙容器を実施するための最良の形態を、図面に示す実施例にて詳細に説明する。
【００１４】
図１乃至図６は本発明に係る窓付き紙容器の第１実施例を示したもので、図１は本実施例の窓付き紙容器を示す斜視図、図２は図１に示す切断糸口端部の箇所の拡大図、図３は図１に示す予定窓を形成する切除部分の箇所の縦断拡大図、図４は本実施例の頂部横罫線を押し下げて凹ませた状態を示す縦断拡大図、図５は本実施例の窓付き紙容器から予定窓を形成する切除部分を切除する状態を示す斜視図、図６は本実施例の窓付き紙容器から切除した切除部分をその折れ線に沿って折り立体的に成形した状態を示す斜視図である。なお、図３及び図４においては、板紙基材の表裏面に積層された熱可塑性樹脂の層は省略して示した。
【００１５】
図１乃至図３に示すように本例は、本発明をゲーブルトップ型の窓付き紙容器１Ａに実施した実施例であり、本例では、板紙基材の表裏面に熱可塑性樹脂層を積層した包材２によって形成されたものであって、４つの平面部３がそれぞれ胴部縦罫線４で直角に繋がった構造の四角筒状の胴部５と、その上下を閉塞する底部６及び頂部７とで形成されている。底部６は平に形成され、頂部７は切妻屋根型に形成されている。切妻屋根型の頂部７は、切妻屋根面８とその両端の妻壁９とによって形成されている。胴部５と頂部７との境界には頂部横罫線１０が設けられ、胴部５と底部６との境界には底部横罫線１１が設けられている。
【００１６】
本例では、図１乃至図３に示すように、胴部５を構成する１つの平面部３ａには、包材２に、予定窓１２の輪郭線１３が所定の目的を持った所要の形状の輪郭に沿って切り込み１４により形成されている。本例では、予定窓１２の輪郭線１３はミシン目１５により形成されている。輪郭線１３で囲まれた包材２ａの部分、即ち予定窓１２を開ける切除部分１６には、切除した切除部分１６を所定の形状に立体的に成形し得る折れ線１７が設けられている
本例では、輪郭線１３の輪郭形状はスプーンの形状となっており、輪郭線１３で囲まれた包材２ａの部分、即ち切除部分１６に設けられている折れ線１７は、切除した切除部分１６をスプーンの形状に立体的に成形し得るように設けられている。
【００１７】
輪郭線１３の形状にあってはこれに限られるものではなく、例えば、この輪郭線１３で囲まれた包材２ａの部分、即ち切除部分１６を切除して立体的に成形した場合に、さじ置き、お面、折り紙、その他所定の目的を持った形状となるように設けることができる。
【００１８】
また、平面部３ａの裏面には予定窓１２を塞ぐ透明又は半透明のフィルム１８が輪郭線１３の外側で液密に接着又は融着して設けられている。本例では、フィルム１８は透明ポリエチレンフィルムが用いられている。
【００１９】
平面部３ａには、輪郭線１３で囲まれた部分の包材２ａ、即ち切除部分１６を取り除く糸口となる切断糸口端部１９が、輪郭線１３によって形成されている。この切断糸口端部１９は、胴部５を構成する１つの平面部３ａと頂部７との境界の頂部横罫線１０に隣接して形成されており、そして、切断糸口端部１９が存在している平面部３ａには、切断糸口端部１９の左右又はその近傍からそれぞれ延びて頂部横罫線１０のそれぞれ対応する両端又はその近傍に繋がる補助折線２０ａ，２０ｂが設けられている。切断糸口端部１９の先端１９ａが補助折線２０ａ，２０ｂを繋ぐ仮想線を越える長さＬは、２０ｍｍ以下が好ましい（図２）。
【００２０】
このような構造の窓付き紙容器１Ａによれば、切断糸口端部１９が存在している胴部５を構成する１つの平面部３ａに、切断糸口端部１９の左右又はその近傍からそれぞれ延びて頂部横罫線１０のそれぞれ対応する両端又はその近傍に繋がる補助折線２０ａ，２０ｂが設けられているので、輪郭線１３で囲まれた切除部分１６の切除に際し、図４に示すように頂部横罫線１０を押し込むことにより、山折り状態にあった頂部横罫線１０が谷折り状態となって凹み、切断糸口端部１９が存在する胴部５を構成する１つの平面部３ａが補助折線２０ａ，２０ｂで山折り状態となって突出して切断糸口端部１９の先端１９ａが平面部３ａから浮き上がることから、この浮き上がったところを糸口として切断糸口端部１９を平面部３ａから容易に立ち上げることができる。
【００２１】
そして、図５に示すように、この立ち上げた切断糸口端部１９を摘み引っ張ることにより包材２が輪郭線１３に沿って切断され輪郭線１３で囲まれた切除部分１６を容易に切除することができ、これにより窓２１が形成される。
【００２２】
前記のようにして輪郭線１３内から切除した切除部分１６を、その折れ線１７に沿って折ると立体的に成形されて図６に示すようにスプーンの立体形状になり、スプーンとして使用することができる。
【００２３】
図７、図８は本発明に係る窓付き紙容器の第２実施例を示したもので、図７は本実施例の窓付き紙容器を示す斜視図、図８は図７に示す切断糸口端部の箇所の拡大図である。なお、前述した第１実施例と対応する部分には、同一符号を付けて示している。
【００２４】
本例のゲーブルトップ型の窓付き紙容器１Ａでは、切断糸口端部１９が存在している平面部３ａに、切断糸口端部１９を横切り或いは切断糸口端部１９の先端１９ａと一致し且つ頂部横罫線１０の両端又はその近傍に繋がる補助折線２０が設けられている。切断糸口端部１９の先端１９ａが補助折線２０を越える長さＬは、０ｍｍ〜２０ｍｍが好ましい（図８）。また、補助折線２０にあっては、本例では円弧状となっている。
【００２５】
その他の構成は第１実施例と同様であるので、第１実施例の説明を援用する。
【００２６】
このように構成された第２実施例からも第１実施例と同様の効果を得ることができる。
【００２７】
上記各実施例では、ゲーブルトップ型の窓付き紙容器１Ａの胴部５に、所定の目的を持った所要の形状の輪郭線１３を切り込み１４により形成し、輪郭線１３で囲まれた包材２ａの部分、即ち予定窓１２を開ける切除部分１６を切除して、この切除部分１６を利用する例について説明したが、本発明はこれに限定されるものではなく、図示しないが、たとえば、ゲーブルトップ型の窓付き紙容器１Ａの切妻屋根面８にも所定の目的を持った所要の形状の輪郭線を切り込みにより形成し、輪郭線で囲まれた切除部分を切除して、この切除部分を利用することもできる。またこのとき、図１及び図２に示したと同様に、輪郭線１３の切断糸口端部１９が存在している切妻屋根面８に、切断糸口端部１９の左右又はその近傍からそれぞれ延びて頂部横罫線１０のそれぞれ対応する両端又はその近傍に繋がる補助折線２０ａ，２０ｂを設けることも、或いは図７及び図８に示したと同様に、切断糸口端部１９を横切り或いは切断糸口端部１９の先端１９ａと一致し且つ頂部横罫線１０の両端又はその近傍に繋がる補助折線２０を設けることもできる。
【００２８】
図９乃至図１２は本発明に係る窓付き紙容器の第３実施例を示したもので、図９は本実施例を示した斜視図、図１０は図９に示す予定窓を形成する切除部分の箇所の縦断拡大図、図１１は本実施例の頂部横罫線を押し下げて凹ませた状態を示す縦断拡大図、図１２は本実施例の窓付き紙容器から予定窓を形成する切除部分を切除する状態を示す縦断拡大図である。なお、前述した第１実施例と対応する部分には、同一符号を付けて示している。
【００２９】
本例は、本発明を平らな屋根をもつフラットトップ型の窓付き紙容器１Ｂに実施した実施例であり、図示のように、板紙基材の表裏面に熱可塑性樹脂層を積層した包材２によって形成されたものであって、４つの平面部３がそれぞれ胴部縦罫線４で直角に繋がった構造の四角筒状の胴部５と、その上下を閉塞する底部６及び頂部７とで形成されている。底部６は平に形成され、頂部７もまた平らに形成されている。胴部５と頂部７との境界には頂部横罫線１０が設けられ、胴部５と底部６との境界には底部横罫線１１が設けられている。
【００３０】
本例のフラットトップ型の窓付き紙容器１Ｂでも第１実施例と同様に、胴部５を構成する１つの平面部３ａには、包材２に、予定窓１２の輪郭線１３が所定の目的を持った所要の形状の輪郭に沿って切り込み１４により形成されている。輪郭線１３の輪郭形状はスプーンの形状となっており、輪郭線１３で囲まれた包材２ａの部分、即ち切除部分１６に設けられている折れ線１７は、切除した切除部分１６をスプーンの形状に立体的に成形し得るように設けられている。
【００３１】
次に、第１実施例と相違する点について説明する。本例では、輪郭線１３を形成する切り込み１４は、図９及び図１０に示すように、胴部５を構成する一つの平面部３ａの裏面から板紙基材に達し、且つ板紙基材を貫通しないように設けられた第１ハーフカット２２と、第１ハーフカット２２を囲んで、平面部３ａの表面から板紙基材に達し、且つ板紙基材を貫通しないように設けられた第２ハーフカット２３とで構成されている。また、平面部３ａの裏面には予定窓１２を塞ぐ透明又は半透明のフィルム１８が輪郭線１３の外側で液密に接着又は融着して設けられている。
【００３２】
また、第１ハーフカット２２と第２ハーフカット２３とで形成される輪郭線１３で囲まれた部分の包材２ａ、即ち切除部分１６を取り除く糸口となる切断糸口端部１９は、本例では第２ハーフカット２３で形成されている。この切断糸口端部１９は第１実施例と同様に、頂部横罫線１０に隣接して形成されており、そして、切断糸口端部１９が存在している平面部３ａには、図９に示すように、切断糸口端部１９の左右又はその近傍からそれぞれ延びて頂部横罫線１０のそれぞれ対応する両端又はその近傍に繋がる補助折線２０ａ，２０ｂが設けられている。その他の構成は第１実施例と同様であるので、第１実施例の説明を援用する。
【００３３】
このような構造の窓付き紙容器１Ｂによれば、切断糸口端部１９が存在している胴部５を構成する１つの平面部３ａに、切断糸口端部１９の左右又はその近傍からそれぞれ延びて頂部横罫線１０のそれぞれ対応する両端又はその近傍に繋がる補助折線２０ａ，２０ｂが設けられているので、輪郭線１３で囲まれた切除部分１６の切除に際し、図１１に示すように頂部横罫線１０を押し込むことにより、山折り状態にあった頂部横罫線１０が谷折り状態となって凹み、切断糸口端部１９が存在する胴部５を構成する１つの平面部３ａが補助折線２０ａ，２０ｂで山折り状態となって突出して、第２ハーフカット２３で形成されている切断糸口端部１９の先端１９ａが板紙基材の層間で剥離し、次いでこの層間剥離が第１ハーフカット２２に達して包材２が切断され、切断糸口端部１９の先端１９ａが平面部３ａから浮き上がる。そこで、この浮き上がったところを糸口として切断糸口端部１９を平面部３ａから容易に立ち上げることができる。
【００３４】
そして、図１２に示すように、この立ち上げた切断糸口端部１９を摘み引っ張ることによりそのまま包材２の切断が進み、輪郭線１３で囲まれた部分の包材２ａ、即ち切除部分１６を容易に切除することができ、これにより窓２１が形成される。
【００３５】
また、本例の窓付き紙容器１Ｂによれば、輪郭線１３は第１ハーフカット２２と第２ハーフカット２３とで形成され、切断糸口端部１９は第２ハーフカット２３で形成されているので、輪郭線１３は板紙基材２をその厚み方向に貫通しておらず、輪郭線１３を通して外部の光が紙容器１Ｂの内部に差し込むことを防止でき、紙容器１Ｂが光により劣化する性質の製品を収容するものである場合、劣化の防止を図ることができる。
【００３６】
なお、第１乃至第３実施例では、予定窓１２を塞ぐフィルム１８として透明又は半透明のものを用いたが、本発明においてフィルム１８は、予定窓１２の輪郭線１３の外側で包材２の裏面に液密に接着又は融着できるものであれば、不透明のものを用いても構わない。たとえば、フィルム１８としてキャラクターなどの図柄や文字を印刷等によって表したものを用い、輪郭線１３で囲まれた切除部分１６を切除すると、フィルムに表された図柄や文字が表れるようにすることもできる。
【００３７】
また、フィルム１８は、予定窓１２の輪郭線１３の外側で包材２の裏面に液密に接着又は融着されてさえいれば、その積層される範囲は問わない。すなわちフィルム１８は、上記第１乃至第３実施例で図示したように、予定窓１２を輪郭線１３の外側の範囲で部分的に被覆するように包材２の裏面に積層するだけではなく、たとえば、包材２の裏面全面に積層することもできる。
【００３８】
さらに、本発明においては、輪郭線１３で囲まれた包材２ａとその裏面を被覆するフィルム１８との間の空間を利用して、たとえば、砂糖、シロップ、ジャム等を入れた小型ピローもしくはポーションパック、又はストロー等の収容部とし、輪郭線１３で囲まれた包材２ａ、すなわち切除部分１６を切除すると、これらの小型ピローもしくはポーションパック、又はストロー等が取り出せるようにすることもできる。
【図面の簡単な説明】
【００３９】
【図１】本発明に係る窓付き紙容器の第１実施例を示した斜視図である。
【図２】図１に示す切断糸口端部の箇所の拡大図である。
【図３】図１に示す予定窓を形成する切除部分の箇所の縦断拡大図である。
【図４】第１実施例の頂部横罫線を押し下げて凹ませた状態を示す縦断拡大図である。
【図５】第１実施例の窓付き紙容器から予定窓を形成する切除部分を切除する状態を示す斜視図である。
【図６】第１実施例の窓付き紙容器から切除した切除部分をその折れ線に沿って折り立体的に成形した状態を示す斜視図である。
【図７】本発明に係る窓付き紙容器の第２実施例を示した斜視図である。
【図８】図７に示す切断糸口端部の箇所の拡大図である。
【図９】本発明に係る窓付き紙容器の第３実施例を示した斜視図である。
【図１０】図９に示す予定窓を形成する切除部分の箇所の縦断拡大図である。
【図１１】第３実施例の頂部横罫線を押し下げて凹ませた状態を示す縦断拡大図である。
【図１２】第３実施例の窓付き紙容器から予定窓を形成する切除部分を切除する状態を示す縦断拡大図である。
【符号の説明】
【００４０】
１Ａ  ゲーブルトップ型の窓付き紙容器
１Ｂ  フラットトップ型の窓付き紙容器
２  包材
３，３ａ  平面部
４  胴部縦罫線
５  胴部
６  底部
７  頂部
８  切妻屋根面
９  妻壁
１０  頂部横罫線
１１  底部横罫線
１２  予定窓
１３  輪郭線
１４  切り込み
１５  ミシン目
１６  切除部分
１７  折れ線
１８  フィルム
１９  切断糸口端部
１９ａ  切断糸口端部の先端
２０、２０ａ、２０ｂ  補助折線
２１  窓
２２  第１ハーフカット
２３  第２ハーフカット
【図１】
2009234657.tif 000003
【図２】
2009234657.tif 000004
【図３】
2009234657.tif 000005
【図４】
2009234657.tif 000006
【図５】
2009234657.tif 000007
【図６】
2009234657.tif 000008
【図７】
2009234657.tif 000009
【図８】
2009234657.tif 000010
【図９】
2009234657.tif 000011
【図１０】
2009234657.tif 000012
【図１１】
2009234657.tif 000013
【図１２】
2009234657.tif 000014